(57)【特許請求の範囲】
【請求項１】
梁下に立設された断熱内壁パネルを、梁に固定するための金具であって、
対向する挟持片とその基端部をつなぐ基端面とによって、断熱内壁パネルの上端部に嵌め込む溝型に形成されるとともに、基端面の上方に突出片が延設されてなる金具本体と、対向する固定片とその基端部をつなぐ基端面とを有する断面コ字状に折り曲げられ、固定片の先端部から基端部に向けて梁のフランジ部に噛合固定する噛合部が設けられるとともに、固定片の底縁部に折り曲げ部と爪部とが延設されて金具本体の基端面の両側縁部を挟持するようになされた固定部材と、金具本体の突出片と固定部材の基端面とを連結するようになされ、固定部材の基端面側から回動させることによって固定部材には締結されずに抜け止めが図られ、金具本体の突出片には螺合するようになされた調整ボルトとを具備し、
金具本体を断熱内壁パネルの上端部に嵌め込むとともに、固定部材の噛合部を梁のフランジ部に噛合固定させた状態で、調整ボルトを回動調整することで、固定部材に対して金具本体がスライド移動して梁下における断熱内壁パネルの位置調整が行えるようになされたことを特徴とする断熱内壁パネルの梁固定用金具。
【請求項２】
ひとまわり小さいサイズの梁のフランジ部とともに噛合部に噛合固定される板状に形成され、両側部に形成された切込部分が下方に立ち上げられて噛合部への位置決めを行う位置決め部と、中央部に形成された切込部分が上方に立ち上げられてフランジ部の先端部が当接される当接部と、当接部と対向する前端部分が下方に折り曲げられた噛合規制部とが設けられたスペーサを具備し、このスペーサは、固定部材の固定片の両側に位置決め部が位置するように噛合部に挿し込まれ、噛合規制部が噛合部の入口部分に当接された状態に装着され、このスペーサを装着した噛合部に、ひとまわり小さいサイズ違いの梁のフランジ部を噛合固定できるようになされた請求項１記載の梁固定用金具。
【請求項３】
金具本体が断熱内壁パネルの上端部に嵌め込まれるとともに、固定部材の噛合部が梁のフランジ部に噛合固定され、調整ボルトが回動調整されることによって、断熱内壁パネルが、梁下の標準施工位置または梁下から室内側に突出したふかし施工位置に固定されてなる請求項１記載の梁固定用金具による断熱内壁パネルの梁下施工構造。
【請求項４】
金具本体が断熱内壁パネルの上端部に嵌め込まれるとともに、固定部材の噛合部が、この噛合部に装着されたスペーサとともに梁のフランジ部に噛合固定され、調整ボルトが回動調整されることによって、断熱内壁パネルが、梁下の標準施工位置または梁下から室内側に突出したふかし施工位置に固定されてなる請求項２記載の梁固定用金具による断熱内壁パネルの梁下施工構造。
【発明の詳細な説明】
【０００１】
【発明の属する技術分野】
本発明は、断熱内壁パネルを梁下に固定するための金具と、この金具による断熱内壁パネルの施工構造に関するものである。
【０００２】
【従来の技術】
一般に、鉄骨構造の建物において、外壁がカーテンウォール構造をとっているような場合、内壁の施工に当たって、自立した下地材と内壁裏面に密着する断熱材の施工が必要となる。
【０００３】
そこで、図７に示すように、矩形に枠組みした木製下地枠ｂの枠内に断熱材ｃを設けるとともに、この木製下地枠ｂの内面側に防湿シートｄを貼設して断熱内壁パネルａを構成し、この断熱内壁パネルａを施工することで、断熱内壁下地を形成することが行われている。この場合、断熱内壁パネルａは、床面ｅに断面溝型となったランナｆを固定しておき、このランナｆに、下辺を挿し込んで梁ｇの直下に自立させていた。そして、断熱内壁パネルａの上端部と梁ｇとの間を固定金具ｈによって固定していた。
【０００４】
従来より、この断熱内壁パネルａの上端部と梁ｇとの間を固定する固定金具ｈは、同図に示すように、断熱内壁パネルａの上端部の室内側に固定した金具本体ｉを、梁ｇのフランジ部ｊに当接させた状態とし、この当接状態の金具本体ｉを、フランジ部ｊに噛合する固定片ｋによって、梁ｇのフランジ部ｊに固定するようになされていた。
【０００５】
【発明が解決しようとする課題】
しかし、上記従来の固定金具ｈの場合、断熱内壁パネルａの上端部に固定した金具本体ｉを、梁ｇのフランジ部ｊに当接した状態で、梁ｇ下における断熱内壁パネルａの位置が決まってしまうこととなる。したがって、梁ｇ下における断熱内壁パネルａの微妙な出入り調整をすることができないといった不都合を生じていた。そのため、梁ｇ下の標準位置に断熱内壁パネルａを施工することができても、梁ｇ下から室内側に断熱内壁パネルａをふかせた位置に施工するといったことが出来ない。
【０００６】
本発明は、係る実情に鑑みてなされたものであって、出入り調整が可能となされ、標準施工位置およびふかし施工位置に施工することができる断熱内壁パネルの梁固定用金具およびこの金具による断熱内壁パネルの梁下施工構造を提供することを目的としている。
【０００７】
【課題を解決するための手段】
上記課題を解決するための本発明の断熱内壁パネルの梁固定用金具は、梁下に立設された断熱内壁パネルを、梁に固定するための金具であって、対向する挟持片とその基端部をつなぐ基端面とによって、断熱内壁パネルの上端部に嵌め込む溝型に形成されるとともに、基端面の上方に突出片が延設されてなる金具本体と、対向する固定片とその基端部をつなぐ基端面とを有する断面コ字状に折り曲げられ、固定片の先端部から基端部に向けて梁のフランジ部に噛合固定する噛合部が設けられるとともに、固定片の底縁部に折り曲げ部と爪部とが延設されて金具本体の基端面の両側縁部を挟持するようになされた固定部材と、金具本体の突出片と固定部材の基端面とを連結するようになされ、固定部材の基端面側から回動させることによって固定部材には締結されずに抜け止めが図られ、金具本体の突出片には螺合するようになされた調整ボルトとを具備し、金具本体を断熱内壁パネルの上端部に嵌め込むとともに、固定部材の噛合部を梁のフランジ部に噛合固定させた状態で、調整ボルトを回動調整することで、固定部材に対して金具本体がスライド移動して梁下における断熱内壁パネルの位置調整が行えるようになされたものである。また、ひとまわり小さいサイズの梁のフランジ部とともに噛合部に噛合固定される板状に形成され、両側部に形成された切込部分が下方に立ち上げられて噛合部への位置決めを行う位置決め部と、中央部に形成された切込部分が上方に立ち上げられてフランジ部の先端部が当接される当接部と、当接部と対向する前端部分が下方に折り曲げられた噛合規制部とが設けられたスペーサを具備し、このスペーサは、固定部材の固定片の両側に位置決め部が位置するように噛合部に挿し込まれ、噛合規制部が噛合部の入口部分に当接された状態に装着され、このスペーサを装着した噛合部に、ひとまわり小さいサイズ違いの梁のフランジ部を噛合固定できるようになされたものである。
【０００８】
また、上記課題を解決するための本発明の断熱内壁パネルの梁下施工構造は、上記梁固定用金具の金具本体が断熱内壁パネルの上端部に嵌め込まれるとともに、固定部材の噛合部が梁のフランジ部に噛合固定され、調整ボルトが回動調整されることによって、断熱内壁パネルが、梁下の標準施工位置または梁下から室内側に突出したふかし施工位置に固定されてなるものである。また、上記梁固定用金具の金具本体が断熱内壁パネルの上端部に嵌め込まれるとともに、固定部材の噛合部が、この噛合部に装着されたスペーサとともに梁のフランジ部に噛合固定され、調整ボルトが回動調整されることによって、断熱内壁パネルが、梁下の標準施工位置または梁下から室内側に突出したふかし施工位置に固定されてなるものである。
【０００９】
【発明の実施の形態】
以下、本発明の実施の形態を図面を参照して説明する。
【００１０】
図１は梁固定用金具１の全体構成の概略を示し、図２および図３は同梁固定用金具１による固定状態を示している。
【００１１】
すなわち、この梁固定用金具１は、金具本体２と、固定部材３と、調整ボルト４とを具備し、断熱内壁パネル５と梁６とを固定するようになされている。
【００１２】
この梁固定用金具１によって固定される断熱内壁パネル５は、矩形に枠組みされた木製下地枠５１の外面側に防湿シート５２が貼設されるとともに、この防湿シート５２の外面側であって、木製下地枠５１の枠外に、断熱材５３を貼設して構成されている。
【００１３】
金具本体２は、対向する挟持片２１、２２とその基端部をつなぐ基端面２３とを溶接一体化した溝型に形成されており、挟持片２１、２２の間に断熱内壁パネル５の木製下地枠５１の上端部５１ａが嵌め込み可能となされている。この金具本体２は、木製下地枠５１の上端部に嵌め込まれた状態で、室外側に位置することとなる挟持片２１の部分と基端面２３の部分とが厚みのある鋼板を折り曲げて形成されており、室内側に位置することとなる挟持片２２の部分のみが、薄いバネ鋼板によって形成されている。また、この挟持片２２の部分には、釘孔２４が形成され、木製下地枠５１の上端部に金具本体２が嵌め込まれた状態で、釘孔２４から釘５０を打ち付けることによって木製下地枠５１の上端部５１ａに金具本体２を固定できるようになされている。さらに、金具本体２の基端面２３には、上方に突出片２６が延設されている。この突出片２６には、調整ボルト４と螺合するネジ孔２７が設けられている。
【００１４】
固定部材３は、厚みのある鋼板を折り曲げて、対向する固定片３１、３１とその基端部をつなぐ基端面３２とを有する断面コ字状に形成されている。また、この折り曲げ状態で対向する固定片３１には、噛合部３３が形成されている。この噛合部３３は、各固定片３１の先端部から基端部に向けて切り込みを設けて形成されている。そして、この噛合部３３で梁６のフランジ部６１を噛合固定するようになされている。また、基端面３２には、ボルト孔３４が設けられ、このボルト孔３４の裏面に、調整ボルト４と螺合するナット３５が溶接固定されている。さらに、各固定片３１の底縁部には、内方向に折り曲げられた折り曲げ部３５と爪部３６とが延設されている。そして、この折り曲げ部３５と爪部３６との間で、金具本体２の基端面２３の両側縁部を挟持するようになされている。また、これによって、固定部材３は、金具本体２に対して矢符Ａ方向または矢符Ｂ方向にスライド可能となされている。
【００１５】
調整ボルト４は、固定部材３の基端面３２のボルト孔３４に挿通された位置でナット４１と螺合し、さらのその先で金具本体２の突出片２６のネジ孔２７と螺合するようになされている。ただし、ナット４１は、調整ボルト４の抜け止めを意図したものであるため、調整ボルト４を回動させてもこの調整ボルト４とナット４１とによって固定部材３を締結しないようになされている。したがって、調整ボルト４を回動させると、この調整ボルト４に螺合した突出片２６のみが、固定部材３に対して矢符Ａ方向または矢符Ｂ方向にスライド移動可能となる。すなわち、この梁固定用金具１は、調整ボルト４を回動させることで、固定部材３に対して金具本体２を、矢符Ａ方向または矢符Ｂ方向にスライド移動させて出入り調整できるようになされている。
【００１６】
次に、この梁固定用金具１によって断熱内壁パネル５を梁６下に固定する施工方法について説明する。
【００１７】
まず、施工に先立って、梁６およびラーメン柱（図示省略）によって構成される建物躯体に、床材７、床下地材７１および外壁パネル８を施工しておく。そして、断熱内壁パネル５を、室内側から梁６の直下の床下地材７１の上に引き起こすようにして立設させる。また、断熱内壁パネル５の木製下地枠５１の枠内から、釘５０を打ち付けることによって、この木製下地枠５１の下端部５１ｂを床下地材７１に固定する。
【００１８】
ついで、断熱内壁パネル５の木製下地枠５１の上端部５１ａに、梁固定用金具１の金具本体２を嵌め込ませて、断熱内壁パネル５に梁固定用金具１を仮着しておく。また、固定部材３の噛合部３２を、ラーメン柱６のフランジ部６１に噛み込ませるようにしてハンマ（図示省略）などで打ち込む。さらに、金具本体２の釘孔２４から釘５０を打ち付けることによって木製下地枠５１の上端部５１ａに金具本体２を固定する。
【００１９】
そして、調整ボルト４の回動具合を調整することによって、梁６に固定された固定部材３に対して、金具本体２を矢符Ａ方向または矢符Ｂ方向にスライド移動させ、断熱内壁パネル５の出入り調整を行う。このようにして出入り調整を行って断熱内壁パネル５の位置決めをして断熱内壁パネル５の施工を完了する。また、このようにして断熱内壁パネル５を施工した後は、木製下地枠５１の室内側の表面に石膏ボードなどの内壁下地材５４が貼設される。また、木製下地枠５１の上端部５１ａの室内側の横桟材５１ｃに野縁ランナ９１を介して野縁９２が設けられ、この野縁９２に石膏ボートなどの天井下地材９３が施工される。さらに、床下地材７１の表面には、フローリング材などの床仕上げ材７２が貼設される。
【００２０】
この梁固定用金具１によると、調整ボルト４の回動具合を調整することによって、断熱内壁パネル５の出入り調整が行えるので、断熱内壁パネル５を、梁６の直下に正しい建ち位置で施工することができる。
【００２１】
なお、本実施の形態では、断熱内壁パネル５を梁６の直下の位置に施工する標準施工の場合について述べているが、図４に示すように、梁６の直下の位置から一定幅Ｄだけ断熱内壁パネル５を室内側に突出させたふかし施工の場合も、調整ボルト４の回動具合を調整することによって施工することができる。また、この一定幅Ｄについては、調整ボルト４の回動具合を調整することによって自由に設定することができる。したがって、断熱内壁パネル５は、一定幅Ｄの範囲内であれば、自由に設定した距離だけ室内側に突出させてふかし施工することができる。
【００２２】
また、図５および図６に示すように、梁固定用金具１は、サイズ違いの梁６のフランジ部６１に固定できるように、スペーサ３０を具備したものであっても良い。すなわち、このスペーサ３０は、板状に形成され、両側部に形成された切込部分が下方に立ち上げられて位置決め部３０ａが形成されている。また、中央部に形成された切込部分が上方に立ち上げられて当接部３０ｂが形成されている。さらに、当接部３０ｂと対向する前端部分が下方に折り曲げられて噛合規制部３０ｃが形成されている。このスペーサ３０は、固定部材３の固定片３１の両側に位置決め部３０ａが位置するように、噛合部３３に挿し込み、スペーサ３０の噛合規制部３０ｃを噛合部３３の入口部分に当接させた状態に装着される。そして、このスペーサ３０を装着した噛合部３３を、ひとまわり小さいサイズの梁６のフランジ部６１に噛合固定することができる。この噛合固定状態で、フランジ部６１の先端が、噛合途中で当接部３０ｂに当接することとなり、梁６のサイズに応じた適宜の噛合具合となる。
【００２３】
さらに、梁固定用金具１としては、金具本体２を断熱内壁パネル５に固定し、固定部材３を梁６のフランジ部６１に固定し、この金具本体２と固定部材３との位置調整を、調整ボルト４の回動具合によって調整することができるように構成されたものであれば、特にこのような形状のものに限定されるものではなく、各種形状のものを使用することができる。
【００２４】
さらに、本実施の形態では、木製下地枠５１の外面側に防湿シート５２および断熱材５３を貼設した断熱内壁パネル５を固定するようになされているが、この断熱内壁パネル５としては、パネル状に形成されたものであれば、特に限定されるものではなく、各種構成の断熱内壁パネル５を使用することができる。また、木製下地枠５１の部分が、鋼製のものであっても良い。
【００２５】
【発明の効果】
以上述べたように、本発明によると、金具本体を断熱内壁パネルの上端部に嵌め込むとともに、固定部材の噛合部を梁のフランジ部に噛合させた状態で、調整ボルトを回動調整することで、梁下における断熱内壁パネルの位置調整を行うことができるので、断熱内壁パネルを正しい建ち位置に施工することが可能となる。また、梁下に断熱内壁パネルを施工した標準施工の場合も、この標準施工の位置よりも室内側に断熱内壁パネルを突出させたふかし施工の場合も、調整ボルトを回動調整して断熱内壁パネルの位置決めを行うことで対応することができる。
【００２６】
また、調整ボルトを回動調整することで、施工後に微調整を行うことも可能となる。
【００２７】
また、請求項２および４記載本発明によると、スペーサを使用することで、サイズ違いの梁であっても容易に対応することができる。
【図面の簡単な説明】
【図１】（ａ）は梁固定用金具の全体構成の概略を示す正面図、（ｂ）は同図（ａ）のＩ−Ｉ線断面図である。
【図２】梁固定用金具による断熱内壁パネルの梁下施工構造であって、標準施工位置に施工した状態を示す断面図である。
【図３】梁固定用金具によって施工した断熱内壁パネルの施工完了状態を示す断面図である。
【図４】梁固定用金具による断熱内壁パネルの梁下施工構造であって、ふかし施工位置に施工した状態を示す断面図である。
【図５】（ａ）および（ｂ）は、噛合部へのスペーサの装着前後の状態を示す部分斜視図である。
【図６】スペーサを使用して固定部材の噛合部を梁のフランジ部に固定した状態を示す部分断面図である。
【図７】（ａ）および（ｂ）は従来の梁固定用金具による梁と断熱内壁パネルとの固定状態を示す施工工程図である。
【符号の説明】
１  梁固定用金具
２  金具本体
３  固定部材
３０  スペーサ
３０ａ  位置決め部
３０ｂ  当接部
３３  噛合部
４  調整ボルト
５  断熱内壁パネル
５１ａ  上端部
６  梁
６１  フランジ部
【図１】
0003553330.tif 000002
【図２】
0003553330.tif 000003
【図３】
0003553330.tif 000004
【図４】
0003553330.tif 000005
【図５】
0003553330.tif 000006
【図６】
0003553330.tif 000007
【図７】
0003553330.tif 000008